(57)【要約】      （修正有）【課題】通常の食品包装用ラップロールのケース内への巻き戻りとケース外への飛び出しを防止する、食品包装用ラップロールの巻き戻り防止器を提供する。【解決手段】ラップロールに外からピッタリ包容する円筒状を想定して、筒壁面の任意の一箇所を長手方向へ、円筒口に垂直になるように分断してあり、分断されて向き合う両辺のそれぞれが、約２センチ幅で相互に反対方向へ折り返されるが、一方は筒内側１へ折り返されてフィルム押さえ折り返し片３を成し、他方は筒外側２へ折り返されてケース壁面押さえ折り返し片４を成し、この二つの折り返し片は、共に約４５度の角度で形状を記憶されるように形設され、壁面の一箇所を切り離されたような筒径は、外力が加われば弾力的に拡縮し、外力が止まれば形状記憶的に自ずともとの基本径に戻ることを特徴とする食品包装用ラップロールの巻き戻り防止器。【選択図】図２
2016050039.tif 000002
【特許請求の範囲】
【請求項１】
サランラップ等の円筒状ラップロールの基本サイズを、円周１２．７センチ・円筒の長さ３０センチを想定し、これに外からピッタリ包容する円筒状を想定して、長さが３０センチより少し短めで、円周が１６．７センチの円筒壁面の任意の一箇所を長手方向へ、円筒口に垂直になるように分断してあり、分断されて向き合う両辺のそれぞれが、約２センチ幅で相互に反対方向へ折り返されて、二つの折り返し片が形成されるが、一方は筒内側へ折り返されてフィルム押さえ折り返し片を成し、他方は筒外側へ折り返されてケース壁面押さえ折り返し片を成し、この二つの折り返し片は、共に約４５度の角度で形状を記憶されるように形設され、壁面の一箇所を切り離されたような筒径は、外力が加われば筒径は弾力的に拡縮し、外力が止まれば形状記憶的に自ずと元の基本径に戻ることを特徴とする食品包装用ラップロールの巻き戻り防止器。
【発明の詳細な説明】
【技術分野】
【０００１】  本発明は食品包装用ラップフィルムロールのケース内への巻き戻りと、ケース外への飛び出しを防止する、食品包装用ラップロールの巻き戻り防止器に関するものである。
【背景技術】
【０００２】  ラップフィルムを強く引っ張るとラップケースから飛び出す恐れがあり、又、カットした後押さえていた指を放すと、ラップフィルムがケース内に巻き戻ることがある。
その為、どこのメーカーでもラップフィルムの巻き戻りや飛び出し防止の工夫をラップケースに施している。
【発明の概要】
【発明が解決しようとする課題】
【０００３】  ラップフィルム巻き戻り防止の工夫として、ほとんどの物がケースの蓋前面に指で押さえる部分を印し、その印しを指で押さえて巻き戻りを防止する方法であった。
又、ラップロールのケース外への飛び出し防止策として、ほとんどの物がラップケース内の両短手面に設けた切込みを、ラップロールの軸孔に折り込む方法であった。
即ち、問題解決の工夫はすべて、収納するラップケースに施してあった。
その為、巻き戻り防止印の押さえ加減や、ラップケース自体に問題があり、ラップケースが脆弱で押さえると凹むなどして変形し、ストッパーの機能が働かず、ラップフィルムがケース内へ巻き戻ることになる。
又、ラップロールの軸孔に折り込んである切りこみ片は、外側から外すことは出来ないので、ロール芯をケースから取り出すのに手間がかかる。
本発明はこれらの問題を解決するためになされたものである。
【課題を解決するための手段】
【０００４】  サランラップ等の円筒状ラップロールの基本サイズを、円周１２．７センチ・円筒の長さ３０センチを想定し、これに外からピッタリ包容する円筒状を想定して、長さが３０センチより少し短めで、円周が１６．７センチの円筒壁面の任意の一箇所を長手方向へ、円筒口に垂直になるように分断してあり、分断されて向き合う両辺のそれぞれが、約２センチ幅で相互に反対方向へ折り返されて、二つの折り返し片が形成されるが、一方は筒内側へ折り返されてフィルム押さえ折り返し片を成し、他方は筒外側へ折り返されてケース壁面押さえ折り返し片を成し、この二つの折り返し片は、共に約４５度の角度で形状を記憶されるように形設され、壁面の一箇所を切り離されたような筒径は、外力が加われば筒径は弾力的に拡縮し、外力が止まれば形状記憶的に自ずと元の基本径に戻る。以上を特徴とする食品包装用ラップロールの巻き戻り防止器である。
【発明の効果】
【０００５】  本発明の中にラップロールを嵌めこみ、ラップケースに収めて使用することで、常にラップロールに圧接しており、ラップフィルムを引き出してカットする時も、蓋部前面に印した巻き戻りストッパーを指で押さえる必要がなく、カット後もケース内に巻きもどることがない。又、ケースとの接続部分が無いのでラップロールは楽に取り出すことが出来る。
又、繰返し使えて経済的であり、サイズを問わずメーカーを問わずに使用することが出来る。
【図面の簡単な説明】
【０００６】
【図１】本発明を円筒状から展開した状態を示す斜視図
【図２】本発明の斜視図
【図３】本発明をラップロールに嵌着した状態を示す外観斜視図
【図４】本発明をラップロールに嵌着しラップケースに収めた状態を示す斜視図
【発明を実施するための形態】
【０００７】  サランラップ等の円筒状ラップロールの基本サイズを、円周１２．７センチ・円筒の長さ３０センチを想定し、これに外からピッタリ包容する、円筒状を想定して、長さが３０センチより少し短めで、円周が１６．７センチの円筒壁面の任意の一箇所を長手方向へ、円筒口に垂直になるように分断してあり、分断されて向き合う両辺のそれぞれが、約２センチ幅で相互に反対方向へ折り返されて、二つの折り返し片が形成されるが、一方は筒内側（１）へ折り返されてフィルム押さえ折り返し片（３）を成し、他方は筒外側（２）へ折り返されてケース壁面押さえ折り返し片（４）を成し、この二つの折り返し片は、共に約４５度の角度で形状を記憶されるように形設され、壁面の一箇所を切り離されたような筒径は、外力が加われば筒径は弾力的に拡縮し、外力が止まれば形状記憶的に自ずと元の基本径に戻る。
なお、基本サイズの想定は、知名度の高いメーカーのサランラップ・クレラップ・ポリラップと他に何点か市販されている品物で、一般的に良く使用するラップフィルム幅（６）が３０センチで２０メートル巻きの食品包装用ラップを調べてみた所、ラップケース（８）のサイズは、みな同じであり、短手面のサイズは縦・横各４．４センチで長さ３１．３センチの直方体であった。
そして、未使用の２０メートル巻きのラップロール（５）の円周は１２．７センチで、これもみなほぼ同じであった。そこで、ラップロール（５）に嵌着する本発明の円周を同寸の１２．７センチとし、そこに幅２センチのフィルム押さえ折り返し片（３）と幅２センチのケース壁面押さえ折り返し片（４）の計４センチをプラスして、円周を１６．７センチとした。
しかし、ラップロール（５）は他に巻き長さが２０・３０・３５・５０・１００メートルの物等があり、ラップロール（５）の円周もそれぞれ違う。又、ケースのサイズも違うので、それぞれ別個に製作すればベストであるが、その必要はないのである。
それは、ラップロール（５）の円周が極端に大きくて無理に嵌着するような物でなければ、本発明の機能に支障はない。しかし、ラップフィルム（６）の幅が３０センチ・巻き長さが２０メートルの物で、ケースの短手面サイズが縦・横各４センチで他の物より縦・横各々０．４センチ小さいものがあり、本発明を嵌着して、ケースに収めるには無理があった。だが、これは特例である。そこで本発明を基本サイズの物とし、極端にサイズの異なる物があればそれに適応させたサイズの物も考えられる。
又、本発明はラップロール（５）に嵌着し、ラップケース（８）に収めて使用するものであるが、ラップロール（５）と本発明を同寸にすると、嵌着しづらく、嵌着してもケース（８）に収めにくい。従って、本発明の長さはラップロール（５）より短めであるほうが良い。
そこで、ラップロール（５）の２分の１の長さでも、本発明の機能を損なうことはないと確認し、一般的な３０センチ幅のラップフィルム（６）のラップロール（５）の場合、１５センチ・２０センチ・２５センチ長さの大・中・小と三つのサイズを考えてみた。そして、次に割とよく使う２２センチ幅のラップフィルム（６）のラップロール（５）の場合、２分の１の長さで、１１センチなので上記の１５センチが使える。従って、本発明の長さは２５センチ・２０センチ・１５センチで良い。よって、５０センチ幅のラップフィルム（６）のラップロール（５）であっても使用できることになる。
本発明は以上のような構成であり、これを実際に使用する時は、接触しているフィルム押さえ折り返し片（３）の折り目と、ケース壁面押さえ折り返し片（４）の折り目を押し広げ、ラップロール（５）を嵌めこむのだが、ラップロール（５）の嵌めこみの向きは決まっているのである。それは、本発明をラップケースに収める時は、ケース壁面押さえ折り返し片（４）を下側にし、フィルム押さえ折り返し片（３）を上側にして、ラップケース（８）に収めるが、引き出すラップフィルム（６）の先端がケース壁面押さえ折り返し片（４）の折り目の下方から筒内側（１）に沿って伸び出てくるようにするためである。
以上のようにして、本発明にラップロール（５）を嵌めこむが、それにはまず、ラップロール（５）からラップフィルム（６）の先端部を少し引き出しておき、接触している、ケース壁面押さえ折り返し片（４）の折り目とフィルム押さえ折り返し片（３）の折り目の双方を押し広げ、ラップフィルム（６）が伸び出てくる側を下にして、本体に嵌めこみ、ラップフィルム（６）の先端部をケース壁面押さえ折り返し片（４）の折り目の上を通して２〜３センチ外に出しておく。その時、本発明は元の状態に戻るべく縮径するので、ラップロール（５）にしっかり嵌着する。
次ぎにケース壁面押さえ折り返し片（４）の折り目の上へ引き出してあるラップフィルム（６）の先端部を更に引き出して、ラップケース（８）前側面の上を通して外側に出しておき、ケース壁面押さえ折り返し片（４）をラップケース前側面の内壁（１１）に圧接させながら下に押し込むと、フィルム押さえ折り返し片（３）はラップケース蓋の内壁（１０）の下に位置し、フィルム押さえ折り返し片（３）の先端はラップロール（５）の上側表面に圧接する。
このように整え終えた、ラップケース（８）内のラップロール（５）は、ラップケース蓋部（９）を閉じれば、ラップケース蓋の内壁（１０）に筒外側（２）面を介して圧接するフィルム押さえ折り返し片（３）と、ラップケース前側面の内壁（１１）に圧接している、ケース壁面押さえ折り返し片（４）に圧接されて動きを抑制されており、ラップケース蓋部（９）を開いて、ラップフィルム（６）を引き出しても、ラップロール（５）が飛び出すことはない。また、常に  ケース壁面押さえ折り返し片（４）とフィルム押さえ折り返し片（３）に圧接されているラップフィルム（６）は、引き出されている時はケース壁面押さえ折り返し片（４）を圧接しているが、引き出し終わると、又、ケース壁面押さえ折り返し片（４）とフィルム押さえ折り返し片（３）に圧接されて、動きを抑制されるので巻き戻ることはない。
そして、使い終わったラップロールの交換をする度に取り外し、又、新規のラップロールに取り付けて何回でも繰返し使用できる。
【符号の説明】
【０００８】  １  筒内側、２  筒外側、    ３  フィルム押さえ折り返し片、
４  ケース壁面押さえ折り返し片、    ５  ラップロール、    ６  ラップフィルム、
７  ラップロール芯、    ８  ラップケース、    ９  ラップケース蓋部、
１０  ラップケース蓋の内壁、    １１  ラップケース前側面の内壁、
【図１】
2016050039.tif 000003
【図２】
2016050039.tif 000004
【図３】
2016050039.tif 000005
【図４】
2016050039.tif 000006